Podtech/llm-jp-corpus-v4-ja_patent huggingface dataset:
【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
圧縮空気貯蔵空間内に貯蔵するためにある量の周囲空気を吸気するように構成された周囲空気吸気口と、
前記周囲空気吸気口に結合されており、前記ある量の周囲空気をある量の圧縮空気に圧縮するように構成された圧縮システムであって、
前記ある量の周囲空気を圧縮する第１の圧縮機と、
前記ある量の周囲空気をさらに圧縮する第２の圧縮機と、
前記第１の圧縮機と前記第２の圧縮機との間にあって、圧縮システムを通して前記ある量の圧縮空気を輸送するように構成された圧縮経路と、
を含む、圧縮システムと、
前記周囲空気吸気口から前記圧縮システムに続き、前記ある量の周囲空気を前記圧縮システムに輸送するように構成された第１の経路と、
前記圧縮システムから前記圧縮空気貯蔵空間に続き、前記ある量の圧縮空気を前記圧縮空気貯蔵空間に輸送するように構成された第２の経路と、
前記圧縮システムの上流に位置して前記ある量の圧縮空気からある量の水分を除去するように構成された除湿部品を備える、前記圧縮経路に結合された除湿システムと、
を備え、
前記ＣＡＥＳシステムが断熱式ＣＡＥＳシステムであり、前記圧縮システムと前記圧縮空気貯蔵空間との間の前記第２の経路に沿って蓄熱（ＴＥＳ）システムをさらに備え、前記蓄熱システムが、前記ある量の圧縮空気からある量の熱を除去し、貯蔵するように構成されており、
前記除湿システムが、前記ある量の圧縮空気が前記ＴＥＳシステムに達する前に、前記ある量の圧縮空気から前記ある量の水分を除去し、
前記除湿システムが、前記除湿部品から水分を除去するように構成された加熱システムをさらに備える、
圧縮空気エネルギー貯蔵（ＣＡＥＳ）システム。
【請求項２】
前記除湿部品が乾燥剤系除湿部品を備える、請求項１に記載のＣＡＥＳシステム。
【請求項３】
前記除湿部品がグリコール系除湿部品を備える、請求項１に記載のＣＡＥＳシステム。
【請求項４】
前記加熱システムが、前記ＣＡＥＳシステムからのタービン排気から前記除湿部品に熱を伝達して、前記水分を除去するように構成されている、請求項１に記載のＣＡＥＳシステム。
【請求項５】
前記加熱システムが、燃焼熱発生部品および電気熱発生部品のうちの少なくとも１つを備える、請求項１に記載のＣＡＥＳシステム。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
ハイドロスタティックアクチュエータ（１ｃ，１ｄ，１ｅ）であって、ハウジング（２４ｃ，２４ｄ，２４ｅ）と、該ハウジング（２４ｃ，２４ｄ，２４ｅ）内を軸方向で移動可能な、圧力チャンバ（２７ｃ，２７ｄ，２７ｅ）に圧力を加えるピストン（２６ｃ，２６ｄ，２６ｅ）とを含むマスターシリンダ（４ｃ，４ｄ，４ｅ）を備えるとともに、回転駆動を軸方向運動に変換する伝動装置と、該伝動装置を回転駆動する、ステータ（７）及びロータ（６）を備える電動モータ（２）と、を備えるハイドロスタティックアクチュエータ（１ｃ，１ｄ，１ｅ）において、前記圧力チャンバ（２７ｃ，２７ｄ，２７ｅ）が、前記電動モータ（２）の回転軸線（５）に関して軸方向で前記ピストン（２６ｃ，２６ｄ，２６ｅ）と前記電動モータ（２）との間に配置されていることを特徴とする、ハイドロスタティックアクチュエータ。
【請求項２】
ハイドロスタティックアクチュエータ（１，１ａ，１ｂ）であって、ハウジング（２４，２４ａ，２４ｂ）と、該ハウジング（２４，２４ａ，２４ｂ）内を軸方向で移動可能な、圧力チャンバ（２７，２７ａ，２７ｂ）に圧力を加えるピストン（２６，２６ａ，２６ｂ）とを含むマスターシリンダ（４，４ａ，４ｂ）を備えるとともに、回転駆動を軸方向運動に変換する伝動装置と、該伝動装置を回転駆動する、ステータ（７）及びロータ（６）を備える電動モータ（２）と、を備えるハイドロスタティックアクチュエータ（１，１ａ，１ｂ）において、前記ピストン（２６，２６ａ，２６ｂ）が、前記電動モータ（２）の回転軸線（５）に関して軸方向で前記圧力チャンバ（２７，２７ａ，２７ｂ）と前記電動モータ（２）との間に配置されていることを特徴とする、ハイドロスタティックアクチュエータ。
【請求項３】
前記伝動装置が、前記ピストン（２６，２６ａ，２６ｂ，２６ｃ，２６ｄ，２６ｅ）を軸方向で移動させる、前記回転軸線（５）に沿って配置されるねじ山付きスピンドル（１１）と、該ねじ山付きスピンドル（１１）に対して同軸的に配置される、回転駆動されるスリーブ（１０，１０ａ，１０ｄ）と、前記ねじ山付きスピンドル（１１）と前記スリーブ（１０，１０ａ，１０ｄ）との間で転動する遊星転動体（１２）とを備える遊星転動機構型伝動装置（３）から形成されている、請求項１又は２記載のハイドロスタティックアクチュエータ。
【請求項４】
前記伝動装置が前記ロータ（６）の半径方向内側に配置されている、請求項１から３までのいずれか１項記載のハイドロスタティックアクチュエータ。
【請求項５】
前記ロータ（６）が前記伝動装置に支承されている、請求項４記載のハイドロスタティックアクチュエータ。
【請求項６】
前記伝動装置が前記ロータ（６）内に組み込まれている、請求項１から５までのいずれか１項記載のハイドロスタティックアクチュエータ。
【請求項７】
前記圧力チャンバが前記伝動装置の半径方向外側に配置されており、かつ前記電動モータが、軸方向で前記圧力チャンバに隣接配置されており、該圧力チャンバの外径より小さな直径を有している、請求項１から３までのいずれか１項記載のハイドロスタティックアクチュエータ。
【請求項８】
前記ハイドロスタティックアクチュエータ（１ｃ，１ｅ）内に、流体静力学的な圧力媒体のための後供給容器（３３，３３ｅ）が組み込まれている、請求項１から７までのいずれか１項記載のハイドロスタティックアクチュエータ。
【請求項９】
前記後供給容器（３３ｅ）にプリロードがかけられている、請求項８記載のハイドロスタティックアクチュエータ。
【請求項１０】
前記後供給容器（３３ｅ）が、環状に形成された圧力チャンバ（２７ｅ）の半径方向内側に配置されている、請求項８又は９記載のハイドロスタティックアクチュエータ。
【請求項１１】
前記伝動装置の、前記ピストンを軸方向で移動させる、前記回転軸線に沿って配置されるねじ山付きスピンドルが、ピストンの移動中、少なくとも部分的に軸方向で前記後供給容器に係合する、請求項１０記載のハイドロスタティックアクチュエータ。
【請求項１２】
前記後供給容器が、環状に形成された圧力チャンバの半径方向外側に配置されている、請求項９又は１０記載のハイドロスタティックアクチュエータ。
【請求項１３】
前記ハウジングと前記ピストンとの間に漏れシールが配置されている、請求項１から１２までのいずれか１項記載のハイドロスタティックアクチュエータ。
【請求項１４】
前記ハウジングと前記伝動装置との間に漏れシールが配置されている、請求項１から１２までのいずれか１項記載のハイドロスタティックアクチュエータ。
【請求項１５】
前記漏れシールが、前記伝動装置の伝動装置スピンドルと前記ハウジングとの間に配置されている、請求項１４記載のハイドロスタティックアクチュエータ。
【請求項１６】
前記ハウジング（２４ｂ）と前記スリーブ（１０ａ）とが一体的に形成されている、請求項３から１５までのいずれか１項記載のハイドロスタティックアクチュエータ。
【請求項１７】
前記電動モータ（２）を制御するためのセンサ装置（３９）が、前記マスターシリンダの前記ハウジングを収容する端面に対向する端面に配置されている、請求項１から１６までのいずれか１項記載のハイドロスタティックアクチュエータ。
【請求項１８】
前記電動モータを制御するためのセンサ装置（３９）が、前記マスターシリンダの前記ハウジングを収容する端面に配置されている、請求項１から１６までのいずれか１項記載のハイドロスタティックアクチュエータ。
【請求項１９】
前記ハイドロスタティックアクチュエータ（１，１ａ，１ｂ，１ｃ，１ｄ，１ｅ）は、ハイドロスタティッククラッチアクチュエータである、請求項１から１８までのいずれか１項記載のハイドロスタティックアクチュエータ。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
対象のミトコンドリア欠損疾患またはミトコンドリア呼吸欠損疾患の進行の治療または予防において使用するための、同位体修飾された多価不飽和脂肪酸またはそのエステルであって、該同位体修飾された多価不飽和脂肪酸またはそのエステルが、投与時に対象のミトコンドリア膜に組み込まれ、該同位体修飾された多価不飽和脂肪酸またはそのエステルにおける同位体が、天然に存在する量よりも豊富に存在する、同位体修飾された多価不飽和脂肪酸またはそのエステル。
【請求項２】
前記対象が補酵素Ｑ欠損を有する、請求項１に記載の同位体修飾された多価不飽和脂肪酸またはそのエステル。
【請求項３】
前記対象が、ａ）神経系疾患を有するかもしくは神経系疾患にかかりやすい、ｂ）ジスキネジアを有するかもしくはジスキネジアにかかりやすい、ｃ）運動失調を有するかもしくは運動失調にかかりやすい、ｄ）筋骨格疾患を有するかもしくは筋骨格疾患にかかりやすい、ｅ）筋力低下を有するかもしくは筋力低下を起こしやすい、ｆ）神経筋疾患を有するかもしくは神経筋疾患にかかりやすい、またはｇ）代謝性疾患を有するかもしくは代謝性疾患にかかりやすい、請求項１に記載の同位体修飾された多価不飽和脂肪酸またはそのエステル。
【請求項４】
対象の先天性代謝異常の治療において使用するための、同位体修飾された多価不飽和脂肪酸またはそのエステルであって、該同位体修飾された多価不飽和脂肪酸またはそのエステルが、投与時に対象の脳および／または神経組織に組み込まれ、該同位体修飾された多価不飽和脂肪酸またはそのエステルにおける同位体が、天然に存在する量よりも豊富に存在する、同位体修飾された多価不飽和脂肪酸またはそのエステル。
【請求項５】
前記先天性代謝異常がダウン症候群である、請求項４に記載の同位体修飾された多価不飽和脂肪酸またはそのエステル。
【請求項６】
ビスアリル位において少なくとも１つの１３Ｃまたは少なくとも１つの重水素原子を含み、
ヒトの摂取に適しており、および
対象による摂取もしくは取込み後に対象の体成分に組み込まれる時にその化学的同一性を保持することができるか、または対象において前記多価不飽和脂肪酸の高級同族体に変換することができる、請求項１に記載の同位体修飾された多価不飽和脂肪酸またはそのエステル。
【請求項７】
１１，１１，Ｄ２−リノール酸、１１−Ｄ−リノール酸、１１，１１，１４，１４，Ｄ４−リノール酸、１１，１４，Ｄ２−リノール酸、１１，１１，Ｄ２−リノレン酸、１１−Ｄ−リノレン酸、１４−Ｄ−リノレン酸、および１４，１４−Ｄ２−リノレン酸からなる群から選択される同位体修飾された多価不飽和脂肪酸、もしくは該同位体修飾された多価不飽和脂肪酸のエチルエステル又はグリセリルエステルである、請求項６に記載の同位体修飾された多価不飽和脂肪酸またはそのエステル。
【請求項８】
前ビスアリル位において重水素をさらに含む、請求項６に記載の同位体修飾された多価不飽和脂肪酸またはそのエステル。
【請求項９】
前記同位体修飾された多価不飽和脂肪酸またはそのエステルが、５０％〜９９％の同位体純度を有する同位体修飾された多価不飽和脂肪酸である、請求項６に記載の同位体修飾された多価不飽和脂肪酸またはそのエステル。
【請求項１０】
前記同位体修飾された多価不飽和脂肪酸またはそのエステルが、ビスアリル位または前ビスアリル位において酸化に対して安定化している、請求項１に記載の同位体修飾された多価不飽和脂肪酸またはそのエステル。
【請求項１１】
前記同位体修飾された多価不飽和脂肪酸またはそのエステルが、酸化感受性位において酸化に対して安定化されている、請求項１に記載の同位体修飾された多価不飽和脂肪酸またはそのエステル。
【請求項１２】
前記同位体修飾された多価不飽和脂肪酸またはそのエステルが、重同位体置換を有する酸化感受性位において酸化に対して安定化されている、請求項１１に記載の同位体修飾された多価不飽和脂肪酸またはそのエステル。
【請求項１３】
前記同位体修飾された多価不飽和脂肪酸またはそのエステルが、ビスアリルの炭素原子と水素原子の酸化感受性位において酸化に対して安定化されている、請求項１２に記載の同位体修飾された多価不飽和脂肪酸またはそのエステル。
【請求項１４】
前記対象が、自動酸化に抵抗するのに十分な濃度の同位体修飾された多価不飽和脂肪酸を維持するための十分な量の該同位体修飾された多価不飽和脂肪酸を投与する、請求項１に記載の同位体修飾された多価不飽和脂肪酸またはそのエステル。
【請求項１５】
前記対象が運動失調を有するかまたは運動失調にかかりやすい、請求項１に記載の同位体修飾された多価不飽和脂肪酸またはそのエステル。
【請求項１６】
前記同位体修飾された多価不飽和脂肪酸エステルが、１１，１１，Ｄ２−リノール酸、１１−Ｄ−リノール酸、１１，１１，１４，１４，Ｄ４−リノール酸、１１，１４，Ｄ２−リノール酸、１１，１１，Ｄ２−リノレン酸、１１−Ｄ−リノレン酸、１４−Ｄ−リノレン酸、または１４，１４−Ｄ２−リノレン酸のエチルエステル又はグリセリルエステルである、請求項１に記載の同位体修飾された多価不飽和脂肪酸またはそのエステル。
【請求項１７】
前記同位体修飾された多価不飽和脂肪酸エステルが、１１，１１，Ｄ２−リノール酸、１１−Ｄ−リノール酸、１１，１１，１４，１４，Ｄ４−リノール酸、１１，１４，Ｄ２−リノール酸、１１，１１，Ｄ２−リノレン酸、１１−Ｄ−リノレン酸、１４−Ｄ−リノレン酸、または１４，１４−Ｄ２−リノレン酸のエチルエステルである、請求項１に記載の同位体修飾された多価不飽和脂肪酸またはそのエステル。
【請求項１８】
前記同位体修飾された多価不飽和脂肪酸エステルが、１１，１１，Ｄ２−リノール酸、１１−Ｄ−リノール酸のエチルエステルである、請求項１に記載の同位体修飾された多価不飽和脂肪酸またはそのエステル。
【請求項１９】
前記同位体修飾された多価不飽和脂肪酸エステルが、１１，１１，Ｄ２−リノール酸のエチルエステルである、請求項１に記載の同位体修飾された多価不飽和脂肪酸またはそのエステル。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
パルミチン酸パリペリドン以外の注入可能な抗精神病薬で治療されている精神病のための精神医学的治療を必要とする患者における精神病を治療するための、パルミチン酸パリペリドンを含有する、注入可能なデポー製剤であって、
前記患者が、前記注入可能な抗精神病薬から前記注入可能なデポー製剤に切り替えられ、
（１）前記患者の三角筋に、前記注入可能なデポー製剤の第１の負荷投与量を筋肉内投与する工程と、
（２）前記第１の再開負荷投与量の投与後約２３日目〜約３７日目に、前記患者の三角筋又は殿筋に、前記注入可能なデポー製剤の維持投与量を筋肉内投与する工程と、を含む、投与レジメン
において用いられる、前記デポー製剤。
【請求項２】
前記投与レジメンが、前記患者の三角筋又は殿筋に、前記維持投与量を毎月投与する工程を更に含む、請求項１に記載のデポー製剤。
【請求項３】
前記第１の負荷投与量が、約７８ｍｇ〜約２３４ｍｇである、請求項１に記載のデポー製剤。
【請求項４】
前記維持投与量が、約３９ｍｇ〜約２３４ｍｇである、請求項１に記載のデポー製剤。
【請求項５】
前記患者が、統合失調症の治療を必要としている、請求項１に記載のデポー製剤。
【請求項６】
前記患者が、双極性障害の治療を必要としている、請求項１に記載のデポー製剤。
【手続補正２】
【補正対象書類名】明細書
【補正対象項目名】０１０５
【補正方法】変更
【補正の内容】
【０１０５】
表３の結果は、全てのデポー抗精神病薬において、投与間隔が、それぞれの製品の約１〜２半減期の範囲であったことを示した。単純な１次消失薬物動態原理に基づいて、そのような薬物が体循環から排除されるのに約４〜５半減期かかり得る。したがって、以前の抗精神病薬の次の予定された注入の代わりに、パルミチン酸パリペリドンを投与する時、体循環中に従前薬物の維持された治療レベルが存在するであろう。以前の抗精神病薬の有意なレベルが体循環中に存在する場合、８日目にパルミチン酸パリペリドンの第２の開始投与量を使用する必要はないであろう。

本発明は以下の態様を包含し得る。
[１]  毎月の注入可能なパルミチン酸パリペリドンデポーで治療されている精神医学的治療を必要とする患者に、注入可能なパルミチン酸パリペリドンデポーを投与するための投与レジメンであって、前記患者が、毎月の注入可能なパルミチン酸パリペリドンデポーの次の予定された維持投与量を抜かし、
（１）前記患者の三角筋に、前記毎月の注入可能なパルミチン酸パリペリドンデポーの第１の再開負荷投与量を筋肉内投与する工程と、
（２）前記第１の再開負荷投与量の投与後約２３日目〜約３７日目に、前記患者の三角筋又は殿筋に、前記毎月の注入可能なパルミチン酸パリペリドンデポーの再開維持投与量を筋肉内投与する工程と、を含む、投与レジメン。
[２]  前記患者の三角筋又は殿筋に、前記再開維持投与量を毎月投与する工程を更に含む、上記[１]に記載の方法。
[３]  前記患者が、約４週間超〜約６週間未満、前記毎月の注入可能なパルミチン酸パリペリドンデポーの次の予定された維持投与量を抜かす、上記[１]に記載の方法。
[４]  前記患者が、約６週間超〜約６ヶ月間未満、前記毎月の注入可能なパルミチン酸パリペリドンデポーの次の予定された維持投与量を抜かす、上記[１]に記載の方法。
[５]  前記患者が、約６ヶ月間を超えて、前記毎月の注入可能なパルミチン酸パリペリドンデポーの次の予定された維持投与量を抜かす、上記[１]に記載の方法。
[６]  前記第１の再開負荷投与量が、前記予定された維持投与量と同一の量である、上記[３]に記載の方法。
[７]  前記第１の再開負荷投与量が、約３９ｍｇ〜約２３４ｍｇである、上記[３]に記載の方法。
[８]  前記再開維持負荷投与量が、約３９〜約２３４ｍｇである、上記[３]に記載の方法。
[９]  前記患者が、精神病の治療を必要としている、上記[３]に記載の方法。
[１０]  前記患者が、統合失調症の治療を必要としている、上記[３]に記載の方法。
[１１]  前記患者が、双極性障害の治療を必要としている、上記[３]に記載の方法。
[１２]  前記第１の再開負荷投与量の投与後約６日目〜約１０日目に、前記患者の三角筋又は殿筋に、前記毎月の注入可能なパルミチン酸パリペリドンデポーの第２の再開負荷投与量を筋肉内投与する工程を更に含む、上記[４]に記載の方法。
[１３]  前記患者の三角筋又は殿筋に、前記再開維持投与量を毎月投与する工程を更に含む、上記[１２]に記載の方法。
[１４]  前記第１の再開負荷投与量が、約３９ｍｇ〜約１１７ｍｇである、上記[１２]に記載の方法。
[１５]  前記第２の再開負荷投与量が、約３９ｍｇ〜約１１７ｍｇである、上記[１２]に記載の方法。
[１６]  前記第１の再開負荷投与量の投与後約６日目〜約１０日目に、前記患者の三角筋又は殿筋に、前記毎月の注入可能なパルミチン酸パリペリドンデポーの第２の再開負荷投与量を筋肉内投与する工程を更に含む、上記[５]に記載の方法。
[１７]  前記患者の三角筋又は殿筋に、前記再開維持投与量を毎月投与する工程を更に含む、上記[１６]に記載の方法。
[１８]  前記第１の再開負荷投与量が、約３９ｍｇ〜約１１７ｍｇである、上記[１６]に記載の方法。
[１９]  前記第２の再開負荷投与量が、約３９ｍｇ〜約１１７ｍｇである、上記[１６]に記載の方法。
[２０]  パルミチン酸パリペリドン以外の注入可能な抗精神病薬で治療されている精神医学的治療を必要とする患者に、注入可能なパルミチン酸パリペリドンデポーを投与するための投与レジメンであって、前記患者が、前記注入可能な抗精神病薬から注入可能なパルミチン酸パリペリドンデポーに切り替えられ、
（１）前記患者の三角筋に、前記注入可能なパルミチン酸パリペリドンデポーの第１の負荷投与量を筋肉内投与する工程と、
（２）前記第１の再開負荷投与量の投与後約２３日目〜約３７日目に、前記患者の三角筋又は殿筋に、前記注入可能なパルミチン酸パリペリドンデポーの維持投与量を筋肉内投与する工程と、を含む、投与レジメン。
[２１]  前記患者の三角筋又は殿筋に、前記維持投与量を毎月投与する工程を更に含む、上記[２０]に記載の方法。
[２２]  前記第１の負荷投与量が、約７８ｍｇ〜約２３４ｍｇである、上記[２０]に記載の方法。
[２３]  前記維持投与量が、約３９ｍｇ〜約２３４ｍｇである、上記[２０]に記載の方法。
[２４]  前記患者が、精神病の治療を必要としている、上記[２０]に記載の方法。
[２５]  前記患者が、統合失調症の治療を必要としている、上記[２０]に記載の方法。
[２６]  前記患者が、双極性障害の治療を必要としている、上記[２０]に記載の方法。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
メチシリン耐性黄色ブドウ球菌（Staphylococcus aureus）を阻害するための医薬の製造における、治療的有効量のMSMおよび薬剤感受性型の黄色ブドウ球菌を阻害する治療的有効量のβラクタム系抗生物質の使用であって、該阻害が、βラクタム系抗生物質に耐性のメチシリン耐性黄色ブドウ球菌と該医薬の接触によるものである、使用。
【請求項２】
メチシリン耐性黄色ブドウ球菌が耐性であるβラクタム系抗生物質に対するメチシリン耐性黄色ブドウ球菌の感受性を増加させるための医薬の製造における、治療的有効量のMSMの使用であって、感受性の増加が、メチシリン耐性黄色ブドウ球菌と該医薬の接触によるものである、使用。
【請求項３】
メチシリン感受性黄色ブドウ球菌がβラクタム系抗生物質耐性を発現するのを阻害するための医薬の製造における、治療的有効量のMSMの使用であって、該阻害が、メチシリン感受性黄色ブドウ球菌と該医薬の接触によるものである、使用。
【請求項４】
βラクタム系抗生物質が、ペニシリン誘導体、セファロスポリン、ペネム、モノバクタム、カルバペネム、βラクタマーゼ阻害剤、またはこれらの2つ以上の組み合わせを含む、請求項1記載の使用。
【請求項５】
βラクタム系抗生物質がメチシリンまたはオキサシリンを含む、請求項1記載の使用。
【請求項６】
有効量のMSMが、5〜20％MSM、5〜16％MSM、5〜10％MSM、5〜8％MSM、9〜16％MSM、または10〜15％MSMである、請求項1〜5のいずれか一項記載の使用。
【請求項７】
有効量のMSMが、5％、6％、7％、8％、9％、10％、11％、12％、13％、14％、15％、または16％のMSMである、請求項1〜5のいずれか一項記載の使用。
【請求項８】
黄色ブドウ球菌が表面にいるかまたは対象の中に存在する、請求項1〜7のいずれか一項記載の使用。
【請求項９】
医薬が局所投与または吸入装置を用いた投与のためのものである、請求項1〜8のいずれか一項記載の使用。
【請求項１０】
医薬が0〜5％の塩化ナトリウムを含む、請求項1〜9のいずれか一項記載の使用。
【手続補正２】
【補正対象書類名】明細書
【補正対象項目名】００１６
【補正方法】変更
【補正の内容】
【００１６】
本明細書において開示される、細菌性病原体の感受性を増加させる方法または細菌性病原体を阻害する方法は、本明細書において詳述された特定の状況以上に有用なことが、例えば、細菌性病原体が薬剤耐性になってしまった、または薬剤感受性細菌性病原体が薬剤耐性になるのを阻害することが望ましい多くの状態に有用だと予想されることがさらに理解されるだろう。
[本発明1001]
薬剤耐性細菌性病原体を阻害する方法であって、以下の工程を含む方法:
薬剤耐性細菌性病原体を選択する工程;ならびに
細菌性病原体を、治療的有効量のMSMおよび薬剤耐性細菌性病原体の薬剤感受性型のものを阻害する治療的有効量の剤を含む組成物と接触させる工程であって、それによって、薬剤耐性細菌性病原体を阻害する、工程。
[本発明1002]
薬剤耐性細菌性病原体が耐性を有する薬物に対する、薬剤耐性細菌性病原体の感受性を増加させる方法であって、以下の工程を含む方法:
薬剤耐性細菌性病原体を選択する工程;ならびに
細菌性病原体を、治療的有効量のMSMを含む組成物と接触させる工程であって、それによって、薬剤耐性細菌性病原体が耐性を有する薬物に対する、薬剤耐性細菌性病原体の感受性を増加させる、工程。
[本発明1003]
薬剤感受性細菌性病原体が薬剤耐性を発現するのを阻害する方法であって、以下の工程を含む方法:
薬剤感受性細菌性病原体を選択する工程;ならびに
薬剤感受性細菌性病原体を、治療的有効量のMSMおよび薬剤感受性細菌性病原体を阻害する治療的有効量の剤を含む組成物と接触させる工程であって、それによって、薬剤感受性細菌性病原体が薬剤耐性を発現するのを阻害する、工程。
[本発明1004]
細菌性病原体がMRSAである、本発明1001または1002の方法。
[本発明1005]
細菌性病原体が黄色ブドウ球菌(Staphylococcus aureus)である、本発明1003の方法。
[本発明1006]
剤がβラクタム系抗生物質である、本発明1004の方法。
[本発明1007]
剤が、ペニシリン誘導体、セファロスポリン、ペネム、モノバクタム、カルバペネム、βラクタマーゼ阻害剤、またはこれらの2つ以上の組み合わせを含む、本発明1006の方法。
[本発明1008]
剤がメチシリンまたはオキサシリンを含む、本発明1006の方法。
[本発明1009]
有効量のMSMが、約5〜20％MSM、約5〜16％MSM、約5〜10％MSM、約5〜8％MSM、約9〜16％MSM、または約10〜15％MSMである、前記本発明のいずれかの方法。
[本発明1010]
有効量のMSMが、約5％、6％、7％、8％、9％、10％、11％、12％、13％、14％、15％、または16％のMSMである、前記本発明のいずれかの方法。
[本発明1011]
有効量のMSMが約5〜10％MSMである、前記本発明のいずれかの方法。
[本発明1012]
細菌性病原体が表面にいる、前記本発明のいずれかの方法。
[本発明1013]
細菌性病原体が対象の中にいる、前記本発明のいずれかの方法。
[本発明1014]
組成物が局所投与される、前記本発明のいずれかの方法。
[本発明1015]
組成物が吸入装置を用いて投与される、前記本発明のいずれかの方法。
[本発明1016]
細菌性病原体が組成物と約24時間、36時間、48時間、60時間、72時間、84時間、96時間、108時間、または120時間接触する、前記本発明のいずれかの方法。
[本発明1017]
組成物が0〜5％の塩化ナトリウムを含む、前記本発明のいずれかの方法。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
少なくとも1つのウィムリーホワイト界面疎水性規準（WWIHS）プラスのヒトサイトメガロウイルス糖タンパク質B（HCMV-gB）配列セグメントを含むアミノ酸残基配列を有する単離ペプチドであって、各WWIHSプラスHCMV-gB配列セグメントが、配列番号：1の残基146から315に由来するか、または配列番号：1の残基146から315に対し少なくとも70%の配列同一性を有する配列番号：1の残基146から315の変種配列に由来する、連続する少なくとも8つのアミノ酸残基かつ60を超えないアミノ酸残基から成る、前記単離ペプチド。
【請求項２】
各WWIHSプラスHCMV-gB配列セグメントが以下から成る群から独立に選択される、請求項１に記載の単離ペプチド：
（a）配列番号：1の残基146から200に由来するか、または配列番号：1の残基146から200に対し少なくとも70%の配列同一性を有する配列番号：1の残基146から200の配列変種に由来する、連続する少なくとも15の残基；
（b）配列番号：1の残基174から200に由来するか、または配列番号：1の残基174から200に対し少なくとも70%の配列同一性を有する配列番号：1の残基174から200の配列変種に由来する、連続する少なくとも15の残基；
（c）配列番号：1の残基233から263に由来するか、または配列番号：1の残基233から263に対し少なくとも70%の配列同一性を有する配列番号：1の残基233から263の配列変種に由来する、連続する少なくとも15の残基；
（d）配列番号：1の残基264から291に由来するか、または配列番号：1の残基264から291に対し少なくとも70%の配列同一性を有する配列番号：1の残基264から291の配列変種に由来する、連続する少なくとも15の残基；および
（e）配列番号：1の残基297から315に由来するか、または配列番号：1の残基297から315に対し少なくとも70%の配列同一性を有する配列番号：1の残基297から315の配列変種に由来する、連続する少なくとも15の残基。
【請求項３】
ペプチドが、配列番号：3、配列番号：4、配列番号：5、配列番号：6、配列番号：7および配列番号：3、配列番号：4、配列番号：5、配列番号：6または配列番号：7に対して少なくとも70%の配列同一性を有する配列変種から成る群から選択されるアミノ酸残基配列を有するHCMV-gB配列セグメントを含む、請求項１または２に記載の単離ペプチド。
【請求項４】
配列変種が、配列番号：3、配列番号：4、配列番号：5、配列番号：6または配列番号：7と保存的置換のみにより相違する、請求項３に記載の単離ペプチド。
【請求項５】
ペプチドのN末端アミノ基が、アセチル基、疎水基、カルボベンゾキシル基、ダンシル基、t-ブチルオキシカルボニル基および巨大分子基から成る群から選択される部分と結合している、請求項１〜４のいずれか１項に記載の単離ペプチド。
【請求項６】
ペプチドのC末端カルボキシル基が、アミン、疎水基および巨大分子基から成る群から選択される部分と結合している、請求項１〜５のいずれか１項に記載の単離ペプチド。
【請求項７】
HCMV-gB配列セグメントが追加のペプチド配列とそのN末端またはC末端で結合している、請求項１〜６のいずれか１項に記載の単離ペプチド。
【請求項８】
HCMV-gB配列セグメントが追加のペプチド配列とそのC末端で結合しており、前記追加のペプチド配列が配列番号：9を含む、請求項１〜７のいずれか１項に記載の単離ペプチド。
【請求項９】
ペプチドがホモデティックな環状ペプチドまたはヘテロデティックな環状ペプチドである、請求項１〜８のいずれか１項に記載の単離ペプチド。
【請求項１０】
ペプチドが少なくとも1つのD-アミノ酸残基を含む、請求項１〜９のいずれか１項に記載の単離ペプチド。
【請求項１１】
請求項１〜１０のいずれか１項に記載のペプチドを医薬的に許容できる担体、ビヒクルまたは希釈剤と一緒に含む、ヘルペスウイルス感染を治療、予防または阻止する医薬組成物。
【請求項１２】
相乗的組合せとして少なくとも2つのペプチドを含む、請求項１１に記載の医薬組成物。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
化合物が、
【化１】
2013509433.tif 000001
又はその医薬的に許容される塩であり、化合物又はその医薬的に許容される塩が、約１〜４ｍｇ／ｋｇの用量による経口投与に適切である、ウイルス感染症又はウイルス感染関連の疾患若しくは障害の患者におけるウイルス負荷及び／若しくはウイルス複製を低減させるための薬剤の製造における化合物の使用。
【請求項２】
化合物又はその医薬的に許容される塩が、週２回、２ｍｇ／ｋｇを３週間、続いて週２回、３ｍｇ／ｋｇの用量による経口投与に適切である、請求項１に記載の使用。
【請求項３】
化合物又はその医薬的に許容される塩が、２ｍｇ／ｋｇの第一の用量、１ｍｇ／ｋｇの第二の用量、続いて週２回、２ｍｇ／ｋｇの追加的な用量による経口投与に適切である、請求項１に記載の使用。
【請求項４】
化合物又はその医薬的に許容される塩が、３ｍｇ／ｋｇの第一の用量、続いて週２回、２．５ｍｇ／ｋｇによる経口投与に適切である、請求項１に記載の使用。
【請求項５】
化合物又はその医薬的に許容される塩が、週２回、２ｍｇ／ｋｇ、続いて週２回、４ｍｇ／ｋｇの用量による経口投与に適切である、請求項１に記載の使用。
【請求項６】
化合物又はその医薬的に許容される塩が、週２回、２ｍｇ／ｋｇの用量による経口投与に適切である、請求項１に記載の使用。
【請求項７】
化合物又はその医薬的に許容される塩が、週２回、４ｍｇ／ｋｇの用量による経口投与に適切である、請求項１に記載の使用。
【請求項８】
ウイルス感染症又はウイルス関連の疾患若しくは障害が、アデノウイルス、サイトメガロウイルス（ＣＭＶ）、ＪＣウイルス、ＢＫウイルス、ＳＶ４０、ＭＣＶ、ＫＩＶ、ＷＵＶ、エプスタイン・バーウイルス（ＥＢＶ）、ワクシニア、単純ヘルペスウイルス１、単純ヘルペスウイルス２、ヒトヘルペスウイルス６（ＨＨＶ−６）、ヒトヘルペスウイルス８（ＨＨＶ−８）、Ｂ型肝炎ウイルス、Ｃ型肝炎ウイルス、水痘帯状疱疹ウイルス、大痘瘡、小痘瘡、天然痘、牛痘、ラクダ痘、サル痘、エボラウイルス、パピローマウイルス、ヒト免疫不全ウイルス（ＨＩＶ）、インフルエンザ及びそれらの任意の組み合わせからなる群から選択される１又は複数のウイルスに関連する、請求項１に記載の使用。
【請求項９】
化合物が、
【化２】
2013509433.tif 000002
又はその医薬的に許容される塩であり、化合物又はその医薬的に許容される塩が、約１００ｍｇ〜２００ｍｇの用量による経口投与に適切である、ウイルス感染症又はウイルス感染関連の疾患若しくは障害の患者におけるウイルス負荷及び／若しくはウイルス複製を低減させるためのさせるための薬剤の製造における化合物の使用。
【請求項１０】
化合物又はその医薬的に許容される塩が、週１回、１００ｍｇ、週２回、１００ｍｇ、週１回、２００ｍｇ又は週２回、２００ｍｇの用量による経口投与に適切である、請求項９に記載の使用。
【請求項１１】
化合物又はその医薬的に許容される塩が、２００ｍｇの第一の用量、続いて週１回、１００ｍｇによる経口投与に適切である、請求項９に記載の使用。
【請求項１２】
ウイルス感染症又はウイルス関連の疾患若しくは障害が、アデノウイルス、サイトメガロウイルス（ＣＭＶ）、ＪＣウイルス、ＢＫウイルス、ＳＶ４０、ＭＣＶ、ＫＩＶ、ＷＵＶ、エプスタイン・バーウイルス（ＥＢＶ）、ワクシニア、単純ヘルペスウイルス１、単純ヘルペスウイルス２、ヒトヘルペスウイルス６（ＨＨＶ−６）、ヒトヘルペスウイルス８（ＨＨＶ−８）、Ｂ型肝炎ウイルス、Ｃ型肝炎ウイルス、水痘帯状疱疹ウイルス、大痘瘡、小痘瘡、天然痘、牛痘、ラクダ痘、サル痘、エボラウイルス、パピローマウイルス、ヒト免疫不全ウイルス（ＨＩＶ）、インフルエンザ及びそれらの任意の組み合わせからなる群から選択される１又は複数のウイルスに関連する、請求項９に記載の使用。
【請求項１３】
化合物が、
【化３】
2013509433.tif 000003
又はその医薬的に許容される塩であり、化合物又はその医薬的に許容される塩が、ホスカルネット、アシクロビル、バラシクロビル及びそれらの任意の組み合わせからなる群から選択される１又は複数の抗ウイルス剤と組み合わせた、錠剤又はカプセルの形態での、約１００ｍｇ〜２００ｍｇの用量による経口投与に適切である、ウイルス感染症又はウイルス感染関連の疾患若しくは障害を処置する又は寛解させるための薬剤の製造における化合物の使用。
【請求項１４】
ウイルス感染症又はウイルス関連の疾患若しくは障害が、アデノウイルス、ヘルペスウイルス、サイトメガロウイルス及びそれらの任意の組み合わせからなる群から選択されるウイルスに関連する、請求項１３に記載の使用。
【請求項１５】
化合物又はその医薬的に許容される塩が、幹細胞移植した対象への経口投与に適切である、請求項１に記載の使用。
【請求項１６】
化合物又はその医薬的に許容される塩が、幹細胞移植した対象への経口投与に適切である、請求項９に記載の使用。
【請求項１７】
前記ウイルス感染関連の疾患が、ＥＢＶ関連頭蓋内移植後リンパ球増殖性障害（ＰＴＬＤ）；アデノウイルス、ＢＫウイルス若しくはＪＣウイルスに関連する腎症；出血性膀胱炎；及びＪＣウイルスに関連する進行性多巣性白質脳症（ＰＭＬ）からなる群より選択される、請求項１に記載の使用。
【請求項１８】
前記ウイルス感染関連の疾患が、ＥＢＶ関連頭蓋内移植後リンパ球増殖性障害（ＰＴＬＤ）；アデノウイルス、ＢＫウイルス若しくはＪＣウイルスに関連する腎症；出血性膀胱炎；及びＪＣウイルスに関連する進行性多巣性白質脳症（ＰＭＬ）からなる群より選択される、請求項９に記載の使用。
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
眼の病気を改善する量の１つ又は複数のカロテンを、イヌ科動物に投与するステップを含む、前記イヌ科動物の眼の病気を改善する方法。
【請求項２】
前記カロテンが、眼組織内に蓄積している、請求項１に記載の方法。
【請求項３】
前記カロテンが、眼の皮質組織内、眼の核組織内、又はその両方に蓄積している、請求項２に記載の方法。
【請求項４】
前記病気が、放射線により引き起こされる、請求項１に記載の方法。
【請求項５】
前記病気が、白内障、放射線網膜症、光線角膜炎、光線結膜炎、翼状片、瞼裂斑、及び癌のうちの１つ又は複数である、請求項４に記載の方法。
【請求項６】
前記病気が、フリーラジカルにより引き起こされる、請求項１に記載の方法。
【請求項７】
前記病気が、眼の混濁、白内障、及び網膜変性のうちの１つ又は複数である、請求項６に記載の方法。
【請求項８】
前記カロテンが、α−カロテン、β−カロテン、γ−カロテン、δ−カロテン、ε−カロテン、リコペン、及びこれらの組み合わせである、請求項１に記載の方法。
【請求項９】
前記カロテンが、β−カロテン、リコペン、及びこれらの組み合わせである、請求項１に記載の方法。
【請求項１０】
前記カロテンが、β−カロテンである、請求項１に記載の方法。
【請求項１１】
前記カロテンが、０．１〜５０００ｍｇの量でイヌ科動物に投与される、請求項１に記載の方法。
【請求項１２】
前記カロテンが、１日当たり０．１〜５００ｍｇの量でイヌ科動物に投与される、請求項１に記載の方法。
【請求項１３】
前記イヌ科動物が、イヌである、請求項１に記載の方法。
【請求項１４】
前記カロテンが、長期間定期的にイヌ科動物に投与される、請求項１に記載の方法。
【請求項１５】
前記カロテンが、イヌ科動物に毎日投与される、請求項１に記載の方法。
【請求項１６】
前記イヌ科動物が、高齢のイヌ科動物である、請求項１に記載の方法。
【請求項１７】
前記カロテンを、１つ又は複数の眼科薬と併用して、眼の病気を改善するのに有効な量で投与するステップをさらに含む、請求項１に記載の方法。
【請求項１８】
眼の混濁を予防又は改善する量の１つ又は複数のカロテンを、イヌ科動物に投与するステップを含む、前記イヌ科動物の眼の混濁を予防又は改善する方法。
【請求項１９】
網膜変性を予防又は改善する量の１つ又は複数のカロテンを、イヌ科動物に投与するステップを含む、前記イヌ科動物の網膜変性を予防又は改善する方法。
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
オレフィン系重合体と；
シラン変性ポリオレフィンと；
少なくとも１種の充填剤と；
カーボンブラックと；
組成物全体の約２．５重量％を上回る量で配合された酸化カルシウムと；
少なくとも１種の老化防止剤
を含有するシーラント組成物。
【請求項２】
更に組成物全体の約２．５重量％を上回る量で配合されたモレキュラーシーブを含有する請求項１に記載のシーラント組成物。
【請求項３】
シーラント組成物がシーラント組成物の厚さ０．０３０インチのサンプルを８５℃及び相対湿度１００％で試験した場合に５時間を上回る浸水時間と４０ｇ．ｍ２／日未満の定常状態水蒸気透過率を示す請求項２に記載のシーラント組成物。
【請求項４】
シーラント組成物がシーラント組成物の厚さ０．０３０インチのサンプルを８５℃及び相対湿度１００％で試験した場合に１０時間を上回る浸水時間と３０ｇ．ｍ２／日未満の定常状態水蒸気透過率を示す請求項２に記載のシーラント組成物。
【請求項５】
酸化カルシウムとモレキュラーシーブの組合せが約１０重量％を上回る量で配合されており、シーラント組成物がシーラント組成物の厚さ０．０３０インチのサンプルを８５℃及び相対湿度１００％で試験した場合に５時間を上回る浸水時間と４０ｇ．ｍ２／日未満の定常状態水蒸気透過率を示す請求項２に記載のシーラント組成物。
【請求項６】
酸化カルシウムとモレキュラーシーブの組合せが約１０重量％を上回る量で配合されており、シーラント組成物がシーラント組成物の厚さ０．０３０インチのサンプルを８５℃及び相対湿度１００％で試験した場合に１０時間を上回る浸水時間と３０ｇ．ｍ２／日未満の定常状態水蒸気透過率を示す請求項２に記載のシーラント組成物。
【請求項７】
更にクレー、硫酸カルシウム及びシリカゲルの少なくとも１種を含有しており、シーラント組成物がシーラント組成物の厚さ０．０３０インチのサンプルを８５℃及び相対湿度１００％で試験した場合に５時間を上回る浸水時間と４０ｇ．ｍ２／日未満の定常状態水蒸気透過率を示す請求項２に記載のシーラント組成物。
【請求項８】
更にクレー、硫酸カルシウム及びシリカゲルの少なくとも１種を含有しており、酸化カルシウムとモレキュラーシーブとシーラント組成物の組合せがシーラント組成物の厚さ０．０３０インチのサンプルを８５℃及び相対湿度１００％で試験した場合に１０時間を上回る浸水時間と３０ｇ．ｍ２／日未満の定常状態水蒸気透過率を示す請求項２に記載のシーラント組成物。
【請求項９】
酸化カルシウムとモレキュラーシーブの組合せが組成物全体の約１０〜約４０重量％の量で配合されている請求項２に記載のシーラント組成物。
【請求項１０】
酸化カルシウムとモレキュラーシーブの組合せが組成物全体の約２０〜約４０重量％の量で配合されている請求項２に記載のシーラント組成物。
【請求項１１】
酸化カルシウムとモレキュラーシーブの組合せが組成物全体の約２５〜約３５重量％の量で配合されている請求項２に記載のシーラント組成物。
【請求項１２】
オレフィン系重合体が組成物全体の約３０〜約６０重量％の量で配合されており、シラン変性ポリオレフィンが組成物全体の約１０〜約２５重量％の量で配合されており、カーボンブラックが組成物全体の約２〜約２０重量％の量で配合されており、充填剤が組成物全体の約２０〜約６０重量％の量で配合されており、酸化カルシウムが組成物全体の約２．５〜約２５重量％の量で配合されており、老化防止剤が組成物全体の０〜約２重量％の量で配合されている請求項１に記載のシーラント組成物。
【請求項１３】
オレフィン系重合体が組成物全体の約２０〜約４０重量％の量で配合されており、シラン変性ポリオレフィンが組成物全体の約１０〜約２０重量％の量で配合されており、カーボンブラックと充填剤の組合せが組成物全体の約３０〜約４０重量％の量で配合されており、酸化カルシウムが組成物全体の約１０〜約３０重量％の量で配合されており、老化防止剤が組成物全体の０〜約２重量％の量で配合されている請求項１に記載のシーラント組成物。
【請求項１４】
更に組成物全体の約２．５〜約２５重量％の量で配合されたモレキュラーシーブを含有する請求項１３に記載のシーラント組成物。
【請求項１５】
シーラント組成物がシーラント組成物の厚さ０．０３０インチのサンプルを８５℃及び相対湿度１００％で試験した場合に約１５ｇ／（ｍ２・日）未満の定常状態水蒸気透過率を示す請求項１に記載のシーラント組成物。
【請求項１６】
シーラント組成物が酸化カルシウムと水の反応においてシーラントの膨潤を所定量までに保つようにバランスの取れた性質を備える請求項１に記載のシーラント組成物。
【請求項１７】
酸化カルシウムが実質的にシーラントの他の成分と反応しないか又はこれらの成分を腐食しない請求項１に記載のシーラント組成物。
【請求項１８】
オレフィン系重合体がポリエチレン、ポリプロピレン、ポリブテン、ポリイソブテン、ブチルゴム（ポリイソブテン・イソプレン）、スチレンブロック共重合体及びスチレンブロック共重合体の変性物の少なくとも１種を含み、オレフィン系重合体が１００〜７００，０００Ｄａの数平均分子量をもち、シラン変性ポリオレフィンが非晶質ポリαオレフィン、シラングラフトＰＥ、湿気硬化触媒、アルコキシシラン及びアミノシランの少なくとも１種を含み、充填剤が重質チョーク、軽質チョーク、ケイ酸塩、酸化ケイ素、ＣａＣＯ３、Ｃａ（ＯＨ）２及び二酸化チタンの少なくとも１種を含み、ケイ酸塩がタルク、カオリン、マイカ、酸化ケイ素、シリカ及びケイ酸カルシウム又はケイ酸マグネシウムを含む群から選択され、老化防止剤がヒンダードフェノール、ヒンダードアミン、チオエーテル、メルカプト化合物、亜リン酸エステル、ベンゾトリアゾール、ベンゾフェノン及びオゾン劣化防止剤の少なくとも１種を含む請求項１に記載のシーラント組成物。
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
ａ）オレフィン系重合体と；
ｂ）シラン変性オレフィン系重合体と；
ｃ）充填剤と；
ｄ）乾燥剤及び水分捕捉剤の少なくとも１種と；
ｅ）老化防止剤
を含有するシーラント組成物であって、シーラントが接着破壊する前に凝集破壊するように、シーラント組成物の引張強度とラップシェア強度のバランスを取らせた前記シーラント組成物。
【請求項２】
シーラント組成物が２０ＰＳＩを上回る引張強度と、２０ＰＳＩを上回るラップシェア強度をもつ請求項１に記載のシーラント組成物。
【請求項３】
シーラント組成物が５０ＰＳＩを上回る引張強度と、４０ＰＳＩを上回るラップシェア強度をもつ請求項１に記載のシーラント組成物。
【請求項４】
シーラント組成物がアルコキシ基及び水酸（−ＯＨ）基の少なくとも１種を含む極性表面と化学的に反応し、水酸基の少なくとも１個がガラス又はポリビニルアルコール（ＰＶＡ）に含まれる請求項１に記載のシーラント組成物。
【請求項５】
シーラント組成物が相対湿度８５％、８５℃で４週間エージング後に約１００〜１４０℃のピークに５０Ｊ／ｇ未満の吸熱エンタルピーをもつ請求項１に記載のシーラント組成物。
【請求項６】
シーラント組成物が相対湿度８５％、８５℃で４週間エージング後に約１００〜１４０℃のピークに３０Ｊ／ｇ未満の吸熱エンタルピーをもつ請求項１に記載のシーラント組成物。
【請求項７】
シーラント組成物がシーラント組成物の厚さ０．０６０〜０．０８０インチのサンプルで３８℃及び相対湿度１００％にて０．７ｇ／ｍ２／日未満の水蒸気透過率（ＭＶＴＲ）をもつ請求項１に記載のシーラント組成物。
【請求項８】
シーラント組成物がシーラント組成物の厚さ０．０６０〜０．０８０インチのサンプルで３８℃及び相対湿度１００％にて０．４ｇ／ｍ２／日未満の水蒸気透過率（ＭＶＴＲ）をもつ請求項１に記載のシーラント組成物。
【請求項９】
シーラント組成物がシーラント組成物の厚さ０．０６０〜０．０８０インチのサンプルで８５℃及び相対湿度１００％にて１５ｇ／ｍ２／日未満の水蒸気透過率（ＭＶＴＲ）をもつ請求項１に記載のシーラント組成物。
【請求項１０】
シーラント組成物がシーラント組成物の厚さ０．０６０〜０．０８０インチのサンプルで８５℃及び相対湿度１００％にて８ｇ／ｍ２／日未満の水蒸気透過率（ＭＶＴＲ）をもつ請求項１に記載のシーラント組成物。
【請求項１１】
シーラント組成物が１３０℃及び荷重１０ｋｇで直径０．０８２３インチのオリフィスの通過に関して５０ｃｍ３／１０分未満のメルトボリュームインデックス（ＭＶＩ）をもつ請求項１に記載のシーラント組成物。
【請求項１２】
シーラント組成物が第１の剪断力をシーラント組成物に加えたときに第１の粘度を示し、第２の剪断力をシーラント組成物に加えたときに第２の粘度を示す請求項１に記載のシーラント組成物。
【請求項１３】
シーラント組成物の第１の粘度が第２の粘度よりも大きく、第１の剪断力が第２の剪断力よりも小さい請求項１２に記載のシーラント組成物。
【請求項１４】
オレフィン系重合体がシーラント組成物全体の約２０〜約６０重量％の量でシーラント組成物中に存在する請求項１に記載のシーラント組成物。
【請求項１５】
オレフィン系重合体がシーラント組成物全体の約３０〜約５０重量％の量でシーラント組成物中に存在する請求項１に記載のシーラント組成物。
【請求項１６】
シラン変性オレフィン系重合体がシーラント組成物全体の約２〜約３５重量％の量でシーラント組成物中に存在する請求項１に記載のシーラント組成物。
【請求項１７】
シラン変性オレフィン系重合体がシーラント組成物全体の約５〜約２５重量％の量でシーラント組成物中に存在する請求項１に記載のシーラント組成物。
【請求項１８】
充填剤がシーラント組成物全体の約５〜約５５重量％の量でシーラント組成物中に存在する請求項１に記載のシーラント組成物。
【請求項１９】
充填剤がシーラント組成物全体の約２０〜約５０重量％の量でシーラント組成物中に存在する請求項１に記載のシーラント組成物。
【請求項２０】
乾燥剤及び水分捕捉剤の少なくとも１種がシーラント組成物全体の約２．５〜約２５重量％の量でシーラント組成物中に存在する請求項１に記載のシーラント組成物。
【請求項２１】
乾燥剤及び水分捕捉剤の少なくとも１種がシーラント組成物全体の約１０〜約１５重量％の量でシーラント組成物中に存在する請求項１に記載のシーラント組成物。
【請求項２２】
老化防止剤がシーラント組成物全体の約３重量％までの量でシーラント組成物中に存在する請求項１に記載のシーラント組成物。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
重炭酸カリウムと、１００ｍｇを超える量の元素亜鉛とを含む、人摂取用の経口投与形態の亜鉛。